(57)【要約】【課題】簡単な構成により、ユーザへの負担を軽減しながら、記録媒体の切断により生じた異物を除去することが可能な技術を提供する。【解決手段】記録媒体を所定の搬送方向に搬送する搬送手段と、前記搬送手段により前記搬送方向に搬送される記録媒体に対して記録領域において記録を行う記録手段と、前記記録領域よりも前記搬送方向の下流側において、記録媒体を切断するカッタと、装置内部に気流を発生させる気流発生手段と、前記カッタで記録媒体を切断した後、切断部分が前記記録領域よりも前記搬送方向の下流側にある状態で、前記気流発生手段により前記搬送方向に向かう気流を発生させる制御手段とを有するようにした。【選択図】図１
2019210129.tif 000002
【特許請求の範囲】
【請求項１】
記録媒体を所定の搬送方向に搬送する搬送手段と、
前記搬送手段により前記搬送方向に搬送される記録媒体に対して記録領域において記録を行う記録手段と、
前記記録領域よりも前記搬送方向の下流側において、記録媒体を切断するカッタと、
装置内部に気流を発生させる気流発生手段と、
前記カッタで記録媒体を切断した後、切断部分が前記記録領域よりも前記搬送方向の下流側にある状態で、前記気流発生手段により前記搬送方向に向かう気流を発生させる制御手段と、
を有することを特徴とする記録装置。
【請求項２】
前記制御手段は、記録媒体の切断部分を前記搬送方向の上流側に移動してから、前記気流発生手段により前記搬送方向に向かう気流を発生させることを特徴とする請求項１に記載の記録装置。
【請求項３】
前記制御手段は、前記記録手段による記録媒体への記録が終了して前記カッタにより記録媒体を切断しているときに、前記気流発生手段により気流を発生させることを特徴とする請求項１または請求項２に記載の記録装置。
【請求項４】
前記気流発生手段は、前記搬送手段に対して前記搬送方向の上流側に配置されることを特徴とする請求項１から３のいずれか１項に記載の記録装置。
【請求項５】
前記搬送手段は、ローラ間に挟持して記録媒体を搬送し、
前記気流発生手段は、記録媒体が前記搬送手段で搬送される際に生じた異物を除去するための気流を発生させる
ことを特徴とする請求項４に記載の記録装置。
【請求項６】
前記異物を除去するための気流は、前記カッタによる記録媒体の切断によって生じた異物に影響しない流速であることを特徴とする請求項５に記載の記録装置。
【請求項７】
前記制御手段は、前記記録手段による記録媒体への記録中に、前記気流発生手段により前記異物を除去するための気流を発生させることを特徴とする請求項５または６に記載の記録装置。
【請求項８】
記録媒体が搬送される搬送経路は直線状であることを特徴とする請求項１から７のいずれか１項に記載の記録装置。
【発明の詳細な説明】
【技術分野】
【０００１】
本発明は、連続するシート状の記録媒体に対して記録することが可能な記録装置に関する。
【背景技術】
【０００２】
特許文献１には、連続したシート状の記録媒体を巻き回して形成したロール状の記録媒体を巻き解いて搬送し、搬送したシート状の記録媒体に対して記録ヘッドからインクを吐出して記録する記録装置に関する技術が開示されている。この記録装置では、記録後の記録媒体を切断する切断手段と記録ヘッドとの間に、記録媒体に対して当接可能な粘着ロールを設け、切断後の記録媒体を待機位置まで引き戻す際に、粘着ロールによって、切断により生じた紙粉などの異物を除去するようにしている。
【先行技術文献】
【特許文献】
【０００３】
【特許文献１】特開２００７−８７０１号公報
【発明の概要】
【発明が解決しようとする課題】
【０００４】
しかしながら、特許文献１の記録装置では、粘着ローラに異物が付着し続けると、記録媒体から異物を除去する能力が低下してしまう。異物の除去能力の低下を抑制するために、粘着ローラの異物の除去能力を回復する機構、つまり、粘着ローラから異物を除去する機構を設けると、装置構成が複雑化してしまう。また、異物の除去能力の低下を抑制するために、粘着ローラからユーザが異物を除去する、あるいは、粘着ローラを交換する構成とすると、こうした作業がユーザの負担となってしまう。
【０００５】
本発明は、上記課題に鑑みてなされたものであり、簡単な構成により、ユーザへの負担を軽減しながら、記録媒体の切断により生じた異物を除去することが可能な技術を提供することを目的とする。
【課題を解決するための手段】
【０００６】
上記目的を達成するために、本発明による記録装置は、記録媒体を所定の搬送方向に搬送する搬送手段と、前記搬送手段により前記搬送方向に搬送される記録媒体に対して記録領域において記録を行う記録手段と、前記記録領域よりも前記搬送方向の下流側において、記録媒体を切断するカッタと、装置内部に気流を発生させる気流発生手段と、前記カッタで記録媒体を切断した後、切断部分が前記記録領域よりも前記搬送方向の下流側にある状態で、前記気流発生手段により前記搬送方向に向かう気流を発生させる制御手段と、を有することを特徴とする。
【発明の効果】
【０００７】
本発明によれば、簡単な構成により、ユーザへの負担を軽減しながら、記録媒体の切断により生じた異物を除去することができるようになる。
【図面の簡単な説明】
【０００８】
【図１】本発明による記録装置の概略構成図。
【図２】記録装置の制御系のブロック構成図。
【図３】記録処理の詳細な処理ルーチンを示すフローチャート。
【図４】記録処理の際の各構成部材の動作を説明する説明図。
【発明を実施するための形態】
【０００９】
以下、添付の図面を参照しながら、本発明による記録装置の一例を詳細に説明するものとする。なお、以下の実施形態に記載されている構成要素はあくまで例示であり、本発明の範囲をそれらのみに限定する趣旨のものではない。
【００１０】
本願明細書において、「記録」とは、文字、図形など有意の情報を形成する場合に限定されるものではない。即ち、有意無為を問わず、人間が視認し得るように顕在化したものであるか否かを問わず、広く記録媒体上に画像、模様、パターンなどを形成する、または、媒体の加工を行う場合を含む。また、「記録媒体」とは、一般的な記録装置で用いられる紙のみならず、布、プラスチックフィルム、金属板、ガラス、セラミックス、木材、皮革など、インクを受容可能なものも含む。さらに、「インク」とは、記録媒体上に付与されることで、画像、模様、パターンなどの形成または記録媒体の加工、あるいは、インクの処理（インク中の色材の凝固または不溶化）に供され得る液体を含む。
【００１１】
図１は、本発明による記録装置の概略構成図である。図１に示す記録装置１０は、フルラインタイプのインクジェット記録装置であって、ホスト装置１２から入力された画像データなどの各種情報に基づいて記録媒体Ｓに対して記録を行う。記録装置１０では、連続したシート状の記録媒体を巻き回して形成されたロールＲを巻き解いて給送し、巻き解かれた記録媒体Ｓに対して記録ヘッドからインクを吐出して記録を行うこととなる。なお、記録装置１０では、ロールＲから巻き解いて記録媒体Ｓを給送するようにしたが、他の形態により記録媒体Ｓを給送するようにしてもよい。また、ホスト装置１２としては、例えば、汎用のパーソナルコンピュータが用いられる。
【００１２】
記録装置１０は、記録媒体Ｓがロール状に巻き回かれたロールＲを巻き解いて給送する給送部１４と、給送部１４から給送された記録媒体Ｓを搬送する搬送部１６とを備えている。また、搬送部１６において搬送される記録媒体Ｓに対して記録を行う記録部１８と、記録部１８で記録された記録媒体Ｓを切断するカッタ２０とを備えている。さらに、給送部１４と搬送部１６との近傍において、減圧駆動と加圧駆動とを選択的に実行可能なファン２１を備えている。なお、こうした記録装置１０の全体の動作は、制御部２２により制御されている。
【００１３】
より詳細には、給送部１４は、ロールＲを回転可能に保持するシャフト２４と、シャフト２４を駆動するためのモータ２６とを有する。シャフト２４とモータ２６の駆動軸２６ａとの間にはベルト２７が張設されており、モータ２６の駆動力がベルト２７を介してシャフト２４に伝達され、これによりシャフト２４が保持するロールＲを回転する。即ち、モータ２６の駆動軸２６ａが矢印Ａ方向に回転するとロールＲが矢印Ｂ方向に回転し、記録媒体Ｓを搬送部１６へ給送することができる。また、モータ２６の駆動軸２６ａが矢印Ｃ方向に回転するとロールＲが矢印Ｄ方向に回転し、搬送部１６に位置する記録媒体Ｓを給送部１４へ引き戻すことができる。
【００１４】
搬送部１６は、給送された記録媒体Ｓを挟持可能な従動ローラ対２８と、従動ローラ対２８を介して搬送された記録媒体Ｓを挟持して搬送する搬送ローラ対３０とを有している。また、従動ローラ対２８と搬送ローラ対３０との間において、搬送される記録媒体Ｓを支持するプラテン３２を備えている。なお、記録装置１０では、搬送部１６から記録媒体Ｓが排出される排出口２３までの記録媒体Ｓの搬送経路は、直線状に形成されている。
【００１５】
従動ローラ対２８は、従動ローラ２８ａと、従動ローラ２８ａに圧接して従動する圧接ローラ２８ｂとを備えている。即ち、従動ローラ２８ａと圧接ローラ２８ｂとは、挟持した記録媒体Ｓの移動に従動して回転するローラとなっている。圧接ローラ２８ｂは、例えば、従動ローラ２８ａから離間可能なように昇降可能に構成されている。従動ローラ２８ａは、その径が圧接ローラ２８ｂの径よりも大きくなっている。従動ローラ２８ａには、従動ローラ２８ａの回転方向および回転速度を検知可能なエンコーダ３４が取り付けられている。これにより、従動ローラ対２８は、搬送される記録媒体Ｓが圧接ローラ２８ｂによって従動ローラ２８ａに押し付けられ、記録媒体Ｓの搬送に従動して回転する。このとき、エンコーダ３４は、記録媒体Ｓの搬送速度に応じた信号を出力することとなる。従って、記録装置１０では、記録媒体Ｓの搬送速度をエンコーダ３４における検出結果に基づいて検出し、制御部２２において検出した情報に基づいて各種制御処理を行うこととなる。
【００１６】
搬送ローラ対３０は、搬送ローラ３０ａと、搬送ローラ３０ａに圧接して従動する圧接ローラ３０ｂとを備えている。圧接ローラ３０ｂは、例えば、搬送ローラ３０ａから離間可能なように昇降可能に構成されている。搬送ローラ３０ａには、モータ３６の駆動軸３６ａとの間にベルト３８が張設されており、モータ３６の駆動力がベルト３８を介して搬送ローラ３０ａに伝達され、これにより搬送ローラ３０ａが回転することとなる。これにより、搬送ローラ対３０では、従動ローラ対２８を介して給送部１４から給送される記録媒体Ｓを、搬送ローラ３０ａと圧接ローラ３０ｂとで挟持し、搬送ローラ３０ａの回転によって搬送する。このように、搬送部１６では、従動ローラ対２８および搬送ローラ対３０において、記録媒体Ｓをローラ間で挟持しながら搬送する構成となっている。
【００１７】
また、搬送部１６は、センサ４０を備えており、センサ４０により、記録媒体Ｓを検出する。具体的には、センサ４０は、記録媒体Ｓの先端を検知する。また、記録媒体Ｓが、例えば、ラベルシートであって、記録装置１０において、ラベルシートに所望の記録を行う場合には、センサ４０では、例えば、ラベルの先端辺を検知する。センサ４０は、従動ローラ対２８の搬送方向の下流側で、かつ、記録ヘッド４２の搬送方向の上流側に配置されている。なお、以下の説明において、給送部１４からカッタ２０に向かう方向を「搬送方向」と称し、搬送方向の上流側を単に「上流側」、搬送方向の下流側を単に「下流側」と称する。
【００１８】
搬送部１６では、給送部１４から給送される記録媒体Ｓを、従動ローラ対２８と搬送ローラ対３０とで挟持するとともに、プラテン３２で支持しながら、搬送方向に搬送して排出口２３から装置外部に排出する。なお、搬送部１６により搬送された記録媒体は、記録ジョブによる記録が終了したタイミングなどで、例えば、給送部１４の駆動源を利用して記録媒体Ｓを搬送方向と逆方向に移動して給送部１４へ引き戻される。本実施形態では、給送部１４と搬送部１６とが、記録媒体Ｓを搬送方向に搬送するとともに、記録媒体Ｓを搬送方向と逆方向に引き戻すことが可能な搬送手段として機能している。
【００１９】
記録部１８は、搬送部１６において搬送される記録媒体Ｓに対してインクを吐出する記録ヘッド４２（記録手段）と、記録ヘッド４２においてインクを吐出する吐出口が形成された吐出口面４３（記録面）を保護するキャップ４４（保護手段）とを備えている。
【００２０】
記録ヘッド４２は、搬送部１６において搬送される記録媒体Ｓの搬送方向に沿って４つ並設されている。本実施形態では、例えば、搬送方向に沿って、ブラックインクを吐出する記録ヘッド４２Ｋ、シアンインクを吐出する記録ヘッド４２Ｃ、マゼンタインクを吐出する記録ヘッド４２Ｍおよびイエローインクを吐出する記録ヘッド４２Ｙの順で設けられている。また、記録ヘッド４２は、搬送方向と交差（本実施形態では直交）する方向に延在しており、インクを吐出する吐出口が当該方向に沿って複数配置されて吐出後列を形成している。各記録ヘッド４２において吐出口列は、搬送部１６で搬送可能な記録媒体Ｓの最大幅（搬送方向と直交する方向の長さ）よりもやや長くなっている。記録装置１０に設けられる記録ヘッド４２については、４つに限定されるものではなく、１〜３つ、あるいは、５つ以上としてもよい。また、記録ヘッド４２Ｋ、４２Ｃ、４２Ｍ、４２Ｙの配置位置についても上記した配置位置に限定されるものではない。
【００２１】
記録ヘッド４２では、各吐出口に通じる流路（ノズル）において吐出エネルギー発生素子が設けられており、この吐出エネルギー発生素子を用いて吐出口からインクを吐出する。吐出エネルギー発生素子としては、例えば、ピエゾ素子あるいは電気熱変換素子（ヒータ）など公知の技術を用いることができる。本実施形態では、ヒータを用いている。ヒータを用いている場合には、ヒータの発熱によりインクを発泡させ、その発泡エネルギーを利用して、吐出口からインクを吐出することとなる。吐出口は、記録ヘッド４２Ｋ、４２Ｃ、４２Ｍ、４２Ｙにおいて、搬送部１６で搬送される記録媒体Ｓと対向する吐出口面４３に形成されている。なお、各記録ヘッド４２は、例えば、一体的に昇降可能な構成となっている。また、記録ヘッド４２にはそれぞれ、対応するインクを貯留したインクタンク（不図示）がチューブ（不図示）を介して接続されている。
【００２２】
キャップ４４は、記録ヘッド４２Ｋ、４２Ｃ、４２Ｍ、４２Ｙのそれぞれに対応して、キャップ４４Ｋ、４４Ｃ、４４Ｍ、４４Ｙが設けられている。各キャップ４４は、対応する記録ヘッド４２の吐出口面４３と当接可能な位置と、記録ヘッド４２による記録を干渉しない位置とに移動可能に設けられている。キャップ４４は、記録ヘッド４２の吐出口面４３を当接することで、吐出口列を含む吐出口面４３の所定の領域を密閉状態とする。これにより、キャップ４４が当接した所定の領域は、外気から遮断されることとなり、塵埃の付着や吐出口におけるインクの乾燥が抑制される。
【００２３】
カッタ２０は、オートカッタであって、搬送ローラ対３０の下流側に設けられている。カッタ２０は、ホスト装置１２から入力されるカット（切断）条件などの各種情報に基づいて、搬送された記録媒体を切断する。
【００２４】
また、ファン２１は、給送部１４と搬送部１６とにより構成される搬送手段の上流側に設けられている。ファン２１は、その回転方向によって、装置内を減圧する減圧駆動あるいは装置内を加圧する加圧駆動を選択的に実行することができる。ファン２１が減圧駆動することにより、ファン２１を介して装置内部の空気を装置外部に排出させる。
【００２５】
ファン２１は減圧駆動によって、従動ローラ対２８で発生した紙粉をファン２１を介して装置外部に排出し、かつ、カッタ２０で発生した紙粉に影響しない（当該紙粉を上流側に移動させない）流速の気流（第２気流）を生じさせる。即ち、ファン２１の減圧駆動によって、搬送方向と逆方向の気流を生じさせることとなる。
【００２６】
また、ファン２１が加圧駆動することにより、ファン２１を介して装置外部の空気を装置内部に流入させる。なお、ファン２１は圧駆動によって、カッタ２０で発生した紙粉を、記録媒体Ｓが排出される排出口２３を介して、装置外部に排出可能な流速の気流（第１気流）を生じさせる。即ち、ファン２１の加圧駆動によって、搬送方向に向かう気流を生じさせることとなる。なお、発生した気流（第１気流）は、搬送経路内に記録媒体Ｓが位置するときには、当該記録媒体Ｓの表面に沿って流れることとなる。このように、ファン２１は、搬送経路内で発生した紙粉などの異物を、記録装置１０から除去する気流を発生する気流発生手段として機能している。
【００２７】
図２は、記録装置１０の制御系のブロック構成図である。記録装置１０は、制御部２２により全体の動作が制御されている。制御部２２は、コントローラ群、インターフェース群、メモリ群などにより構成されている。また、制御部２２には、記録ヘッド４２、モータ群およびセンサ群が接続されている。
【００２８】
コントローラ群としては、記録装置１０全体を統括制御する中央処理装置（ＣＰＵ）１０２と、ＣＰＵ１０２との間で各種通信制御を実行してホスト装置１２と各種情報の入出力を行うためのインターフェース（Ｉ／Ｆ）コントローラ１０４とを備えている。また、モータ群の各種モータへの電力供給を実行して、各モータの駆動を制御するモータ駆動部１０６と、記録ヘッド４２への各種制御処理を実行する記録ヘッド制御部１０８とを備えている。
【００２９】
モータ駆動部１０６は、ヘッドモータ１２４と接続され、記録ヘッド４２の移動（昇降）を制御する。また、モータ３６と接続され、搬送ローラ３０ａの駆動を制御して搬送ローラ対３０による記録媒体Ｓの搬送を制御する。さらに、キャッピングモータ１２６と接続され、キャップ４４の記録ヘッド４２の吐出口面４３に当接可能な位置への移動を制御する。
【００３０】
また、モータ駆動部１０６は、ポンプモータ１２８に接続され、インクタンクと記録ヘッド４２とを接続するチューブに設けられたチューブポンプの駆動を制御して、記録ヘッド４２へのインクの供給を制御する。また、モータ２６に接続され、シャフト２４に保持されたロールＲの回転を制御して、記録媒体Ｓの給送および引き戻しを制御する。さらに、ファンモータ１３０に接続され、ファン２１の回転を制御することで、ファン２１の減圧駆動および加圧駆動を制御する。即ち、本実施形態では、制御部２２が、ファン２１の減圧駆動および加圧駆動を制御する制御手段として機能している。さらにまた、カッタモータ１３２に接続され、カッタ２０による記録媒体Ｓへの切断を制御する。
【００３１】
インターフェース群としては、ＣＰＵ１０２による各種制御処理を実行可能なようにＣＰＵ１０２とモータ駆動部１０６とを接続する出力ポート１１０を備えている。また、ＣＰＵ１０２と記録ヘッド制御部１０８とを接続して、記録ヘッド４２の駆動制御を実現するＡ／Ｄ（ａｎａｌｏｇｕｅ  ｔｏ  ｄｉｇｉｔａｌ）コンバータ１１２を備えている。さらに、センサ４０およびエンコーダ３４などからなるセンサ群における検知情報をＣＰＵ１０２で取得できるように、ＣＰＵ１０２とセンサ４０およびエンコーダ３４とを接続する入出力部１１４を備えている。
【００３２】
メモリ群としては、記録装置１０を統括制御する制御プログラムなど各種処理プログラムやその処理プログラムで使用する各種パラメータなどが格納されたＲＯＭ１１６を備えている。また、ＣＰＵ１０２がＲＯＭ１１６に格納された処理プログラムを実行する際にワーキングエリアとして利用されるＲＡＭ１１８を備えている。さらに、書き換え可能な不揮発性メモリであって、記録装置１０に固有の各種情報とともに、各種制御処理時の実行時刻や実行条件などの各種更新情報を書き換えて保持するＥＥＰＲＯＭ１２０を備えている。ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）１２０には、例えば、記録ヘッド４２間の隔離距離などの固有データが格納されている。また、ＥＥＰＲＯＭ１２０には、例えば、記録媒体Ｓへの記録位置などを微調整した補正値なども格納されている。さらにまた、ＣＰＵ１０２が入力情報（受信コマンド）の解析結果に基づいて作成する画像データの各色毎のイメージデータがビットマップ展開されるイメージメモリ１２２を備えている。
【００３３】
そして、制御部２２では、ＣＰＵ１０２によって、ＲＯＭ１１６に格納された制御プログラムを、ＲＡＭ１１８を利用しつつ実行することにより、センサ群における検出結果に基づいて記録装置１０の動作を制御する。これにより、ＣＰＵ１０２は、接続されたホスト装置１２から入力された画像データをイメージメモリ１２２内で各色毎にビットマップ展開し、記録ヘッド４２、モータ２６、３６の駆動を制御して、記録媒体に画像データに基づく記録を行う。
【００３４】
なお、ホスト装置１２からは、ＣＰＵ１０２に対して記録データを含む記録ジョブが入力される。ＣＰＵ１０２では、入力された記録ジョブに基づいて記録を行うこととなる。なお、記録データとしては、画像データのほかに、記録枚数、記録媒体Ｓの種類、記録媒体Ｓのサイズ、搬送速度、記録媒体Ｓの切断を指示する情報（カット設定情報）などを含む。
【００３５】
ＣＰＵ１０２では、こうした情報に基づいてモータ駆動部１０６、記録ヘッド制御部１０８などを制御して、記録媒体Ｓを搬送しつつ、記録ヘッド４２からインクを吐出して、記録媒体Ｓに対して記録を行う。その後、カット設定情報に基づいて、記録媒体Ｓを切断することとなる。なお、ＣＰＵ１０２は、入力された各種情報（コマンド）の解析、記録データの受信、記録動作、記録媒体Ｓのハンドリングなど記録装置１０全体の制御を司るための演算処理を実行する。
【００３６】
以上の構成により、ホスト装置１２を介して記録データを含む記録ジョブが入力されると、記録媒体Ｓに対して記録を行う記録処理が開始される。ここで、図３および図４を参照しながら、記録装置１０における記録処理について詳細に説明する。図３は、記録処理の詳細な処理内容を示すフローチャートである。図４（ａ）は、ファン２１による減圧駆動を開始する際の状態を示す説明図である。図４（ｂ）は、記録中に発生した異物をファン２１により除去される状態を示す説明図である。図４（ｃ）は、記録媒体Ｓを切断した状態を示す説明図である。図４（ｄ）は、ファン２１による加圧駆動により、切断によって発生した異物が除去される状態を示す説明図である。図４（ｄ）は、記録媒体Ｓを引き戻している状態を示す説明図である。
【００３７】
なお、図３のフローチャートで示される一連の処理は、ＣＰＵ１０２がＲＯＭ１１６に格納されているプログラムコードをＲＡＭ１１８に展開し実行される。あるいは、図３におけるステップの一部または全部の機能をＡＳＩＣや電子回路などのハードウェアで実現してもよい。
【００３８】
記録処理が開始されると、まず、入力された記録データの解析を行う（Ｓ３０２）。即ち、Ｓ３０２では、画像データをビットマップ展開するとともに、記録媒体Ｓの種類やカッタ２０によるカット条件などのコマンド（入力情報）を解析する。その後、ファン２１を減圧駆動する（Ｓ３０４）。即ち、Ｓ３０４では、図４（ａ）のように、装置内部の空気を外部に排出させるようにファン２１を駆動する。なお、ファン２１は、印加電圧値で風速を調整できる構成となっており、Ｓ３０４では、ファン２１により発生した気流の流速が、従動ローラ対２８の近傍において、例えば、０．３ｍ／ｓ以上となるように、ファン２１の駆動が制御される。なお、上記した流速については、一例に過ぎず、装置構成などに応じて適宜に設定することができる。
【００３９】
次に、記録ヘッド４２を記録位置まで移動する（Ｓ３０６）。即ち、Ｓ３０６では、吐出口面４３に当接したキャップ４４を、記録ヘッド４２から離間させ、記録ヘッド４２の移動（昇降）に干渉しない位置まで退避させ、その後、記録ヘッド４２をプラテン３２上に位置する記録媒体Ｓに対して記録する記録位置まで下降させる。
【００４０】
記録ヘッド４２が記録位置まで移動すると、記録データに基づいて、記録媒体Ｓを移動するとともに記録ヘッド４２からインクを吐出して、記録媒体Ｓに対して所定量の記録を行う（Ｓ３０８）。即ち、Ｓ３０８では、１画像単位などの所定量の記録を行うこととなる。ここで、記録媒体Ｓを搬送中には、図４（ｂ）のように、圧接ローラ２８ｂと記録媒体Ｓの表面とが擦れることによって紙粉などの異物Ｆが発生する。しかしながら、記録装置１０では、記録中は、従動ローラ対２８の近傍に設けられたファン２１が吸引駆動しているため、発生した異物Ｆはファン２１により生じた気流によって装置外部に排出（除去）されることとなる。
【００４１】
その後、所定量の記録が終了したか否かを判断し（Ｓ３１０）、所定量の記録が終了したと判断されると、カット（切断）するか否かを判断する（Ｓ３１２）。即ち、Ｓ３１２では、カット設定情報、つまり、記録媒体Ｓのカットを指示する情報があるか否かを判断する。Ｓ３１２において、カット設定情報がないと判断されると、後述するＳ３１６へ進む。また、Ｓ３１２において、カット設定情報があると判断されると、記録媒体Ｓにおいてカットする位置を、カッタ２０により切断可能な位置まで搬送し、カッタ２０により記録媒体Ｓをカットする（Ｓ３１４）。
【００４２】
次に、記録ジョブによる記録が終了したか否かを判断する（Ｓ３１６）。Ｓ３１６において、記録ジョブによる記録が終了していないと判断されると、Ｓ３０８に戻る。また、Ｓ３１６において、記録ジョブによる記録が終了したと判断されると、ファン２１の減圧駆動を停止し（Ｓ３１８）、記録ヘッド４２をキャップ４４によりキャッピングする（Ｓ３２０）。即ち、Ｓ３２０では、記録ヘッド４２を退避位置まで上昇させた後に、キャップ４４を記録ヘッド４２の下方側まで移動させ、その後、記録ヘッド４２を下降させて吐出口面４３をキャップ４４に当接させる。
【００４３】
ここで、カッタ２０により記録媒体Ｓをカットすると、図４（ｃ）のように、記録媒体Ｓ表面のインク受容層が削られて、紙粉などの異物Ｆが発生する。この異物Ｆは、記録媒体Ｓの表面に付着する。異物Ｆが付着した状態で、記録媒体Ｓを記録開始位置まで戻す（後述する。）と、戻す過程で異物Ｆをプラテン３２に落としてしまう。プラテン３２に落ちた異物Ｆは、記録媒体Ｓが搬送されるときに生じる気流によって舞い上がり、記録ヘッド４２の吐出口に付着し、吐出不良を起こす虞がある。
【００４４】
そこで、この記録処理では、記録ジョブによる記録において、記録媒体Ｓをカットしたか否かを判断する（Ｓ３２２）。Ｓ３２２において、カットしていないと判断されると、後述するＳ３３０に進む。また、Ｓ３２２において、カットしたと判断されると、ファン２１を加圧駆動する（Ｓ３２４）。即ち、Ｓ３２４では、図４（ｄ）のように、切断部分が、記録ヘッド４２により記録される記録領域よりも下流側にある状態で、装置外部の空気を内部に流入させるようにファン２１を駆動する。このとき、記録媒体Ｓは、プラテン３２上に位置しているため、ファン２１の加圧駆動により生じた気流は、記録媒体Ｓ上を通って排出口２３に到達する。記録媒体Ｓ上は平滑なため、当該気流は、乱れることなく排出口２３に向かって流れることとなる。
【００４５】
また、ファン２１を加圧駆動する際には、圧接ローラ２８ｂ、３０ｂが圧接していてもファン２１により生じた気流が乱れることなく排出口２３に向かうのであれば、圧接ローラ２８ｂ、３０ｂは、圧接した状態を維持したままでよい。一方、圧接ローラ２８ｂ、３０ｂが圧接しているとファン２１により生じた気流を乱すあるいは阻害する場合には、圧接ローラ２８ｂ、３０ｂを上昇させて記録媒体Ｓから離間させる。
【００４６】
ここで、記録媒体Ｓには、上記したようにカットの際に生じた紙粉などの異物Ｆが付着している。しかしながら、こうした異物Ｆは、ファン２１の加圧駆動により生じた記録媒体Ｓ上を排出口２３に向かって流れる気流によって、記録媒体Ｓから除去されて排出口２３から排出される。なお、Ｓ３２４では、ファン２１により生じた気流の流速が、カッタ２０の近傍において、例えば、１．０ｍ／ｓ以上のとなるように、ファン２１の駆動が制御される。なお、上記した流速については、一例に過ぎず、装置構成などに応じて適宜に設定することができる。
【００４７】
その後、所定時間が経過したか否かを判断し（Ｓ３２６）、所定時間が経過したと判断されると、ファン２１の駆動を停止する（Ｓ３２８）。所定時間は、例えば、１０秒とし、ファン２１の加圧駆動によって、カットの際に発生し付着した紙粉などの異物が、確実に除去できる時間としてもよいし、概ね除去できる時間としてもよい。こうした所定時間は、装置構成などによって変化するため、実験的に求めて設定される。
【００４８】
ファン２１の駆動を停止すると、先端がカッタ２０上に位置する記録媒体Ｓを、記録開始位置に戻し（Ｓ３３０）、記録処理を終了する。即ち、Ｓ３３０では、図４（ｅ）のように、モータ２６を駆動して、シャフト２４を介してロールＲを矢印Ｅ方向に回転させて、記録媒体Ｓの先端が記録開始位置に位置するように、ロールＲに記録媒体Ｓを巻き取る。このとき、カットにより生じた異物Ｆは、記録媒体Ｓ上から除去されているため、記録媒体Ｓを記録開始位置まで戻す過程で、プラテン３２上に異物Ｆを落とすことがなくなり、こうした異物Ｆに起因する吐出不良を防止することができる。
【００４９】
以上において説明したように、記録装置１０は、記録媒体Ｓが搬送される搬送経路の上流側に、減圧駆動と加圧駆動とを選択的に実行可能なファン２１を設けるようにした。そして、記録中はファン２１を減圧駆動しながら従動ローラ対２８で生じた異物を除去し、記録ジョブによる記録が終了した際には加圧駆動しながらカッタ２０により生じた異物を除去するようにした。これにより、記録装置１０では、ユーザが部品を交換するなどの作業を行うことなく、簡単な構成により、記録媒体Ｓを切断したときなどに生じた異物を除去することができるようになる。
【００５０】
また、記録装置１０は、カッタ２０により発生した異物だけでなく、記録ヘッドの上流側に位置する従動ローラ対２８で発生した異物についても除去することができる。このため、記録装置１０は、切断手段の下流側において粘着ロールで紙粉を除去するようにした特許文献１の技術と比較して、記録ヘッドが位置する記録領域への異物の侵入が大きく抑制され、異物に起因する吐出不良がより確実に抑制されるようになる。
【００５１】
（他の実施形態）
なお、上記実施形態は、以下の（１）乃至（５）に示すように変形してもよい。
【００５２】
（１）上記実施形態では、記録装置１０はインクジェット方式により記録するようにしたが、記録媒体Ｓへの記録方式については、これに限定されるものではなく、公知の記録方式を適用するようにしてもよい。また、上記実施形態では、ファン２１を吸引駆動する際には、従動ローラ対２８で発生した異物を除去するようにしたが、これに限定されるものではない。即ち、ファン２１の配置角度や気流の流速などを調整して、給送部１４など記録ヘッド４２の上流側に位置する構成によって、発生した種々の異物を除去するようにしてもよい。
【００５３】
（２）上記実施形態では、記録処理において、記録媒体Ｓをカットした位置に維持したまま、ファン２１を加圧駆動するようにしたが、これに限定されるものではない。即ち、記録媒体Ｓを引き戻しながらファン２１を加圧駆動するようにしてもよい。具体的には、例えば、所定時間（Ｓ３２６での判断基準となる時間）だけファン２１を加圧駆動する。かつ、ファン２１が加圧駆動している所定時間中に、記録媒体Ｓを、その先端がカッタ２０によりカットされたカット位置から記録ヘッド４２により記録される記録領域（図４（ｅ）参照）に到達する前の所定位置まで引き戻す。これにより、記録媒体Ｓに付着した異物Ｆに対する、ファン２１の加圧駆動により生じた気流の流速が速くなり、効率的に異物Ｆを記録媒体Ｓから除去することができる。
【００５４】
（３）上記実施形態では、従動ローラ対２８と搬送ローラ対３０とにより記録媒体Ｓを搬送方向に搬送するようにしたが、これに限定されるものではない。即ち、従動ローラ対２８を搬送ローラ対３０と同様の構成の搬送ローラ対とし、２つの搬送ローラ対によって記録媒体Ｓを搬送方向に搬送するようにしてもよい。なお、この場合には、シャフト２４および搬送ローラ対により記録媒体Ｓを引き戻す構成となる。
【００５５】
（４）上記実施形態では、従動ローラ対２８と搬送ローラ対３０とにおいて、ローラ間に記録媒体Ｓを挟持して搬送するようにしたが、これに限定されるものではない。即ち、記録媒体Ｓの搬送機構としては、例えば、搬送ベルト上に記録媒体Ｓが載置され、搬送ベルトにより記録媒体Ｓが搬送されるようにしてもよい。上記実施形態では、従動ローラ対２８において発生した紙粉およびカッタ２０による切断によって発生した紙粉を除去する場合について説明したが、ファン２１の駆動により気流により除去する対象としては、紙粉に限定されるものではない。即ち、記録媒体Ｓに付着した塵埃などの種々の異物を除去するようにしてもよい。
【００５６】
（５）上記実施形態では、ファン２１を搬送部１６の上流側に設けるようにしたが、これに限定されるものではない。即ち、搬送部１６の下流側であり、カッタ２０近傍に、記録媒体Ｓを切断したときに生じる紙粉などの異物を除去するように、減圧駆動するファンを設けるようにしてもよい。さらに、こうした搬送部１６の下流側に設けるファンを、ファン２１とともに設けるようにしてもよい。また、上記実施形態では、ファン２１は、減圧駆動および加圧駆動が可能なようにしたが、これに限定されるものではなく、ファン２１は、加圧駆動のみを行うようにしてもよい。即ち、この場合には、カッタ２０による記録媒体Ｓの切断により生じた異物Ｆのみを記録装置１０から除去可能な構成となる。
【符号の説明】
【００５７】
１０  記録装置
１４  給送部
１６  搬送部
２０  カッタ
２１  ファン
４２  記録ヘッド
【図１】
2019210129.tif 000003
【図２】
2019210129.tif 000004
【図３】
2019210129.tif 000005
【図４】
2019210129.tif 000006